(57)【要約】【課題】ランプハウスの光源ランプ交換時、過熱されたランプハウス内の冷却時間を短縮出来るランプハウス冷却法を提供すること。【解決手段】試薬庫１４の保冷に用いられている冷却液に三方弁２６を設置し、その三方弁２６からランプハウス１９４を経由する冷却液バイパス配管２２ｅを接続させて水を媒体とするランプハウス雰囲気の冷却を行うランプハウス冷却方法。光源ランプ１９４ｃを交換する場合、制御部３１は装置制御部３３に三方弁２６の切替を指示して試薬庫１４のみを循環していた冷却液の流路をランプハウスを経由するように制御し、ランプハウス１９４内を冷却する。また、ランプハウス１９４から試薬庫１４に流通する配管上に冷却器を設置し、ランプハウス１９４内で熱された冷却液を設定温度まで冷却することによって設定温度よりも高温の冷却液が試薬庫１４に流れ込んで試薬庫内部の温度が上昇するのを防ぐ。【選択図】        図２
2009264908.tif 000002
【特許請求の範囲】
【請求項１】
内部の中空領域を冷却液が環流する保冷容器によって該保冷容器内部に収納される試薬を保冷する試薬庫と、検体および前記試薬を含む液体試料を収容した反応容器に光を照射する発光部の光源ランプを収納し光源ランプ雰囲気の温度変化を抑制するランプハウスとを備え、前記光源ランプが発した光を前記反応容器内に収容された液体試料に照射して該液体試料を分析する分析装置において、
前記試薬庫内を保冷する前記冷却液を冷却する冷却器および該冷却器と前記試薬庫との間を接続して前記冷却液を流通させる配管を有した冷却手段と、
前記試薬庫から前記冷却器側に前記冷却液を流通させる配管上に第１三方弁を設けて、バイパス配管を形成し、該バイパス配管が前記ランプハウスを経由する冷却液バイパス手段と、
前記光源ランプを交換する場合、装置制御部が前記第１三方弁を切り替えて前記冷却液を前記バイパス配管側に流して前記ランプハウス内の前記光源ランプ雰囲気を急冷する冷却液切替制御手段と、
を備えることを特徴とする自動分析装置。
【請求項２】
前記バイパス配管は、前記ランプハウス内の前記光源ランプを直接覆う反射鏡の外周に配置されていることを特徴とする請求項１に記載の自動分析装置。
【請求項３】
反応槽の内部空間を恒温化する恒温液を調節する温度調節器と、
前記温度調節器と前記反応槽との間を接続して前記恒温液を流通させる恒温液配管を有し、該恒温液配管上であって前記反応槽から前記温度調節器側に前記恒温液を流通させる配管の一部が前記ランプハウスを経由し、前記反応槽と前記ランプハウスとの間および前記ランプハウスと前記温度調節器との間にそれぞれ第２上流側三方弁および第２下流側三方弁を設け、該第２上流側三方弁と該第２下流側三方弁との間を直接接続するバイパス配管を設けた配管系と、
前記光源ランプが点灯中である場合、前記第２上流側三方弁および前記第２下流側三方弁を制御して前記ランプハウス側および前記バイパス配管側への流量分配調整を行って前記ランプハウスの温度調節を行う恒温液切替制御手段と、
を備えることを特徴とする請求項１または２に記載の自動分析装置。
【請求項４】
前記恒温液配管は、前記反射鏡外周に配置されていることを特徴とする請求項１〜３のいずれか一つに記載の自動分析装置。
【請求項５】
内部の中空領域を冷却液が環流する保冷容器によって該保冷容器内部に収納される試薬を保冷する試薬庫と、検体および前記試薬を含む液体試料を収容した反応容器を保持して内部空間を体温近傍に恒温化する反応槽と、前記液体試料を収容した前記反応容器に光を照射する発光部の光源ランプを収納し光源ランプ雰囲気の温度変化を抑制するランプハウスとを備え、前記光源ランプが発した光を前記反応容器内に収容された液体試料に照射して該液体試料を分析する分析装置において、
前記試薬庫内を保冷する前記冷却液を冷却する冷却器および該冷却器と前記試薬庫との間を接続して前記冷却液を流通させる冷却液配管を有し、前記試薬庫から前記冷却器側への前記冷却配管上に第１上流側三方弁と第１下流側三方弁とを設けた冷却手段と、
前記反応槽の内部空間を恒温化する恒温液を調節する温度調節器および該温度調節器と前記反応槽との間を接続して前記恒温液を流通させる恒温液配管を有し、該恒温液配管が前記反応槽の下流側で前記ランプハウスを経由し、該ランプハウスの上流側および下流側にそれぞれ第２上流側三方弁および第２下流側三方弁を設けて前記ランプハウスを経由する共通バイパス配管を形成し、該第２上流側三方弁と前記反応槽との間に第３上流側三方弁を設けるとともに前記第２下流側三方弁と前記温度調節器との間に第３下流側三方弁を設け、該第３上流側三方弁と該第３下流側三方弁との間を直接接続した恒温液バイパス配管を設け、前記反応槽および前記ランプハウスの温度調節を行う温度調節手段と、
前記第１上流側三方弁と前記第３上流側三方弁との間および前記第１下流側三方弁と前記第３下流側三方弁との間をそれぞれ接続する連結配管と、
前記光源ランプが点灯中である場合、前記連結配管の流通を止め、前記第２上流側三方弁および前記第２下流側三方弁を制御して前記共通バイパス配管側および前記恒温液バイパス配管側への流量分配調整を行って前記ランプハウスの温度調節を行い、前記光源ランプが交換される場合、前記第２上流側三方弁および前記第２下流側三方弁を制御して前記恒温液の全てを前記恒温液バイパス配管側に流通させるとともに、前記第１上流側三方弁、前記第１下流側三方弁、前記第３上流側三方弁、前記第３下流側三方弁を制御して前記冷却液を前記連結配管および前記共通バイパス配管に流通させて前記ランプハウス内の光源ランプ雰囲気を急冷させる切替制御手段と、
を備えたことを特徴とする自動分析装置。
【発明の詳細な説明】
【技術分野】
【０００１】
本発明は、血液や体液等の検体の成分を分析する自動分析装置に関するものである。
【背景技術】
【０００２】
従来、血液や体液等の試料を自動的に分析する装置として、試薬が分注された反応容器に試料を加え、反応容器内の試薬と試料の間で生じた反応を光学的に検出する分析装置が知られている。このような分析装置では、光源と受光系とを備える測光機構を設け、光源が試料を収容した反応容器に光を照射後、受光系が受光した反応容器内の液体の通過光量をもとに試料の分析を行っている。
【０００３】
ところで、分析装置の光源には、ハロゲンランプ（以下、光源ランプとする）が多く利用されている。また、温度を一定に保つため、光源ランプはある程度の熱容量を持ったランプハウス内に設置され、ファンを用いて調節することでランプハウス内およびランプを一定の温度にしている。光源ランプを交換する際、光源ランプの電源を切った直後はランプハウス内および光源ランプ自体が非常に熱くなっており触れることができないため、電源を切った後に放冷してから光源ランプの交換を行っている。
【０００４】
このため、光源ランプの電源を切った後もファンの電源は落とさずにランプハウス内の冷却を行って、光源ランプ交換の時間を短縮する方法が提案されている（特許文献１参照）。また、恒温槽を設置してこの恒温液をランプハウスの温度調節に用いる方法も提案されている（特許文献２参照）。
【０００５】
【特許文献１】特開２００３−１３９６８５号公報
【特許文献２】実公平１−８９９２号公報
【発明の開示】
【発明が解決しようとする課題】
【０００６】
しかしながら、特許文献１に開示された分析装置を含め従来のファンで冷却を行うランプハウスでは、空気の熱伝導率が低いため短時間でランプハウスを冷却しようとすると、ファンのパワーを高める必要があり、電力コストが上昇する。さらに、ランプハウス自体が、ある程度大きな熱容量を持った素材に覆われているため、熱伝導率の低い空気を利用した冷却での時間短縮は困難である。また、特許文献２に開示されたランプハウスの温度調節は、新たに恒温槽を光源の周囲に設置しなければならず、光源装置が大型化してしまう。それに加えて、冷却方法はファンを用いての冷却のため冷却効率は低い。
【０００７】
本発明は、上記に鑑みてなされたものであって、ランプハウスの冷却を効率的に行うことができる自動分析装置を提供することを目的とする。
【課題を解決するための手段】
【０００８】
上述した課題を解決し、目的を達成するために、本発明の自動分析装置は、内部の中空領域を冷却液が環流する保冷容器によって該保冷容器内部に収納される試薬を保冷する試薬庫と、検体および前記試薬を含む液体試料を収容した反応容器に光を照射する発光部の光源ランプを収納し光源ランプ雰囲気の温度変化を抑制するランプハウスとを備え、前記光源ランプが発した光を前記反応容器内に収容された液体試料に照射して該液体試料を分析する分析装置において、前記試薬庫内を保冷する前記冷却液を冷却する冷却器および該冷却器と前記試薬庫との間を接続して前記冷却液を流通させる配管を有した冷却手段と、前記試薬庫から前記冷却器側に前記冷却液を流通させる配管上に第１三方弁を設けて、バイパス配管を形成し、該バイパス配管が前記ランプハウスを経由する冷却液バイパス手段と、前記光源ランプを交換する場合、装置制御部が前記第１三方弁を切り替えて前記冷却液を前記バイパス配管側に流して前記ランプハウス内の前記光源ランプ雰囲気を急冷する冷却液切替制御手段とを備えることを特徴とする。
【０００９】
また、本発明にかかる自動分析装置は、上記の発明において、前記バイパス配管は、前記ランプハウス内の前記光源ランプを直接覆う反射鏡の外周に配置されていることを特徴とする。
【００１０】
また、本発明にかかる自動分析装置は、上記の発明において、反応槽の内部空間を恒温化する恒温液を調節する温度調節器と、前記温度調節器と前記反応槽との間を接続して前記恒温液を流通させる恒温液配管を有し、該恒温液配管上であって前記反応槽から前記温度調節器側に前記恒温液を流通させる配管の一部が前記ランプハウスを経由し、前記反応槽と前記ランプハウスとの間および前記ランプハウスと前記温度調節器との間にそれぞれ第２上流側三方弁および第２下流側三方弁を設け、該第２上流側三方弁と該第２下流側三方弁との間を直接接続するバイパス配管を設けた配管系と、前記光源ランプが点灯中である場合、前記第２上流側三方弁および前記第２下流側三方弁を制御して前記ランプハウス側および前記バイパス配管側への流量分配調整を行って前記ランプハウスの温度調節を行う恒温液切替制御手段とを備えることを特徴とする。
【００１１】
また、本発明にかかる自動分析装置は、上記の発明において、前記恒温液配管は、前記反射鏡外周に配置されていることを特徴とする。
【００１２】
また、本発明にかかる自動分析装置は、上記の発明において、内部の中空領域を冷却液が環流する保冷容器によって該保冷容器内部に収納される試薬を保冷する試薬庫と、検体および前記試薬を含む液体試料を収容した反応容器を保持して内部空間を体温近傍に恒温化する反応槽と、前記液体試料を収容した前記反応容器に光を照射する発光部の光源ランプを収納し光源ランプ雰囲気の温度変化を抑制するランプハウスとを備え、前記光源ランプが発した光を前記反応容器内に収容された液体試料に照射して該液体試料を分析する分析装置において、前記試薬庫内を保冷する前記冷却液を冷却する冷却器および該冷却器と前記試薬庫との間を接続して前記冷却液を流通させる冷却液配管を有し、前記試薬庫から前記冷却器側への前記冷却配管上に第１上流側三方弁と第１下流側三方弁とを設けた冷却手段と、前記反応槽の内部空間を恒温化する恒温液を調節する温度調節器および該温度調節器と前記反応槽との間を接続して前記恒温液を流通させる恒温液配管を有し、該恒温液配管が前記反応槽の下流側で前記ランプハウスを経由し、該ランプハウスの上流側および下流側にそれぞれ第２上流側三方弁および第２下流側三方弁を設けて前記ランプハウスを経由する共通バイパス配管を形成し、該第２上流側三方弁と前記反応槽との間に第３上流側三方弁を設けるとともに前記第２下流側三方弁と前記温度調節器との間に第３下流側三方弁を設け、該第３上流側三方弁と該第３下流側三方弁との間を直接接続した恒温液バイパス配管を設け、前記反応槽および前記ランプハウスの温度調節を行う温度調節手段と、前記第１上流側三方弁と前記第３上流側三方弁との間および前記第１下流側三方弁と前記第３下流側三方弁との間をそれぞれ接続する連結配管と、前記光源ランプが点灯中である場合、前記連結配管の流通を止め、前記第２上流側三方弁および前記第２下流側三方弁を制御して前記共通バイパス配管側および前記恒温液バイパス配管側への流量分配調整を行って前記ランプハウスの温度調節を行い、前記光源ランプが交換される場合、前記第２上流側三方弁および前記第２下流側三方弁を制御して前記恒温液の全てを前記恒温液バイパス配管側に流通させるとともに、前記第１上流側三方弁、前記第１下流側三方弁、前記第３上流側三方弁、前記第３下流側三方弁を制御して前記冷却液を前記連結配管および前記共通バイパス配管に流通させて前記ランプハウス内の光源ランプ雰囲気を急冷させる切替制御手段と、を備えたことを特徴とする。
【発明の効果】
【００１３】
本発明にかかる自動分析装置は、試薬庫の保冷に用いている冷却液を用いてランプハウスを冷却するため、水冷によってランプハウス内を冷却することが可能となり、ファンを用いてランプハウス内を冷却する方法に比して効率的にランプハウス内を冷却することができ、結果的にランプ交換時に要する時間を短縮することができる。
【発明を実施するための最良の形態】
【００１４】
以下、添付図面を参照して、本発明を実施するための最良の形態である光源装置および自動分析装置について説明する。なお、各実施の形態により本発明が限定されるものではない。また、図面の記載において、同一部分または相当する部分には同一の符号を付している。
【００１５】
（実施の形態１）
図１は、本実施の形態にかかる分析装置１の構成を示す模式図である。図１に示すように、分析装置１は、検体および試薬を反応容器２１にそれぞれ分注し、分注した反応容器２１内で生じる反応を光学的に測定する測定機構２と、測定機構２を含む分析装置１全体の制御を行うとともに測定機構２における測定結果の分析を行う制御機構３とを備える。分析装置１は、これらの二つの機構が連携することによって複数の検体の生化学的、免疫学的あるいは遺伝学的な分析を自動的に行う。
【００１６】
測定機構２は、大別して検体移送部１１、検体分注機構１２、反応槽１３、試薬庫１４、読取部１６、試薬分注機構１７、攪拌部１８、測光部１９および洗浄部２０を備える。また、制御機構３は、制御部３１、入力部３５、分析部３６、記憶部３７および出力部３８を備える。測定機構２および制御機構３が備えるこれらの各部は、制御部３１に電気的に接続されている。
【００１７】
検体移送部１１は、血液や尿等、液体である検体を収容した複数の検体容器１１ａを保持し、図中の矢印方向に順次移送する複数の検体ラック１１ｂを備える。検体移送部１１上の所定位置に移送された検体容器１１ａ内の検体は、検体分注機構１２によって、反応槽１３上に配列して搬送される反応容器２１に分注される。
【００１８】
検体分注機構１２は、鉛直方向への昇降および自身の基端部を通過する鉛直線を中心軸とする回転を自在に行うアーム１２ａを備える。このアーム１２ａの先端部には、検体の吸引および吐出を行うプローブが取り付けられている。検体分注機構１２は、図示しない吸排シリンジまたは圧電素子を用いた吸排機構を備える。検体分注機構１２は、上述した検体移送部１１上の所定位置に移送された検体容器１１ａの中からプローブによって検体を吸引し、アーム１２ａを図中時計回りに旋回させ、反応容器２１に検体を吐出して分注を行う。
【００１９】
反応槽１３は、反応容器２１への検体や試薬の分注、反応容器２１の攪拌、洗浄または測光を行うために反応容器２１を所定の位置まで移送する。この反応槽１３は、制御部３１の制御のもと、図示しない駆動機構が駆動することによって、反応槽１３の中心を通る鉛直線を回転軸として回動自在である。反応槽１３の上方と下方には、図示しない開閉自在な蓋と恒温槽とがそれぞれ設けられている。反応槽１３内の温度は、サーミスタ１３ａから得られる温度情報によって温度管理を行う。
【００２０】
試薬庫１４は、反応容器２１内に分注される試薬が収容された試薬容器１５を複数収納できる。試薬庫１４には、複数の収納室が等間隔で配置されており、各収納室には試薬容器１５が着脱自在に収納される。試薬庫１４は、制御部３１の制御のもと、図示しない駆動機構が駆動することによって、試薬庫１４の中心を通る鉛直線を回転軸として時計回りまたは反時計回りに回動自在であり、所望の試薬容器１５を試薬分注機構１７による試薬吸引位置まで移送する。試薬庫１４の上方には、開閉自在な蓋（図示せず）が設けられている。また、試薬庫１４の下方には、保冷槽が設けられている。このため、試薬庫１４内に試薬容器１５が収納され、蓋が閉じられたときに、試薬容器１５内に収容された試薬を一定の温度状態に保ち、試薬容器１５内に収容された試薬の蒸発や変性を抑制することができる。試薬庫１４内の温度は、サーミスタ１４ａから得られる温度情報によって温度管理を行う。
【００２１】
試薬容器１５の側面部には、試薬容器１５に収容された試薬に関する試薬情報が記録された記録媒体が付されている。記録媒体は、符号化された各種の情報を表示しており、光学的に読み取られる。
【００２２】
試薬庫１４の外周部には、この記録媒体を光学的に読み取る読取部１６、冷却器１４ｂが設けられている。読取部１６は、記録媒体に対して赤外光または可視光を発し、記録媒体からの反射光を処理することによって、記録媒体の情報を読み取る。また、読取部１６は、記録媒体を撮像処理し、撮像処理によって得られた画像情報を解読して、記録媒体の情報を取得してもよい。冷却器１４ｂは、試薬庫の保冷に用いる冷却液の冷却を行う。
【００２３】
試薬分注機構１７は、検体分注機構１２と同様に、検体の吸引および吐出を行うプローブが先端部に取り付けられたアーム１７ａを備える。アーム１７ａは、鉛直方向への昇降および自身の基端部を通過する鉛直線を中心軸とする回転を自在に行う。試薬分注機構１７は、試薬庫１４上の所定位置に移動された試薬容器１５内の試薬をプローブによって吸引し、アーム１７ａを図中時計回りに旋回させ、反応槽１３上の所定位置に搬送された反応容器２１に分注する。攪拌部１８は、反応容器２１に分注された検体と試薬との攪拌を行い、反応を促進させる。
【００２４】
測光部１９は、発光部１９１と、受光部１９２とを備え、所定の測光位置に搬送された反応容器２１内の試料を透過した光を受光して強度測定を行う。この測光部１９による測定結果は、制御部３１に出力され、分析部３６において分析される。
【００２５】
発光部１９１は、ファン１９３とランプハウス１９４とで構成されている。ランプハウス１９４は、断熱材で覆われた外側ボックス１９４ａと、内壁がアルミニウム等の反射鏡から成るある程度の熱容量を持つ内側ボックス１９４ｂとを備え、光源ランプ１９４ｃを保持している。また、ファン１９３の出力の強弱をファン制御部３４が調節することでランプハウス１９４内の雰囲気を一定に保っている。
【００２６】
洗浄部２０は、図示しないノズルによって、測光部１９による測定が終了した反応容器２１内の混合液を吸引して排出するとともに、洗剤や洗浄水等の洗浄液を注入および吸引することで洗浄を行う。この洗浄した反応容器２１は再利用されるが、検査内容によっては１回の測定終了後に反応容器２１を廃棄してもよい。
【００２７】
つぎに、制御機構３について説明する。制御部３１は、ＣＰＵ等を用いて構成され、分析装置１の各部の処理および動作を制御する。制御部３１は、これらの各構成部位に入出力される情報について所定の入出力制御を行い、かつ、この情報に対して所定の情報処理を行う。また、制御部３１は、温度制御部３２、装置制御部３３、ファン制御部３４を有する。温度制御部３２は、反応槽１３、試薬庫１４、測光部１９のランプハウス１９４内の温度情報の入出力制御を行う。装置制御部３３は、ランプハウス１９４内を冷却する場合、三方弁２６の弁の開閉制御を行う。ファン制御部３４は、光源ランプ点灯中、ランプハウス１９４内を冷却し温度を一定に保つ場合にファン１９３の出力制御を行う。
【００２８】
入力部３５は、キーボード、マウス等を用いて構成され、検体の分析に必要な諸情報や分析動作の指示情報等を外部から取得する。分析部３６は、測光部１９から取得した測定結果に基づいて吸光度等を演算し、検体の成分分析等を行う。記憶部３７は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部３７は、ＣＤ−ＲＯＭ、ＤＶＤ−ＲＯＭ、ＰＣカード等の記憶媒体に記憶された情報を読み取ることができる補助記憶装置を備えてもよい。出力部３８は、プリンタ、通信機構等を用いて構成され、検体の分析結果を含む諸情報を出力する。
【００２９】
以上のように構成された分析装置１では、列をなして順次搬送される複数の反応容器２１に対して、検体分注機構１２が検体容器１１ａ中の検体を分注し、試薬分注機構１７が試薬容器１５中の試薬を分注した後、測光部１９が検体と試薬とを反応させた状態の試料の分光強度測定を行い、この測定結果を分析部３６が分析することで、検体の成分分析等が自動的に行われる。また、洗浄部２０が測光部１９による測定が終了した後に搬送される反応容器２１を搬送させながら洗浄することで、一連の分析動作が連続して繰り返し行われる。
【００３０】
つぎに、本発明の自動分析装置にかかる実施の形態１について、図２を参照して詳細に説明する。図２は、試薬庫およびランプハウスを主とした温度制御に関するブロック図である。
【００３１】
図２に示すように、通常分析時、ランプハウス１９４の内側ボックス１９４ｂの温度は、サーミスタ１９４ｈの温度情報を温度制御部３２から受け取った制御部３１によって制御されており、その制御と連動してファン制御部３４がファン１９３の出力を調節し、風量を加減しながら内側ボックス１９４ｂ内の温度を一定に保っている。
【００３２】
また、試薬庫１４は庫内の保冷に冷却液配管２２内を図示しないポンプによって送られる冷却液を庫内に流通させて保冷している。冷却液配管２２上には三方弁２６ａ、２６ｂが設けられており、その三方弁２６ａ、２６ｂから冷却液配管２２ｃおよび冷却液バイパス配管２２ｅがそれぞれ接続されている。冷却液の流通経路は、冷却液配管２２ａから試薬庫１４内を通過し冷却液配管２２ｂを通った後、三方弁２６ａによって冷却液配管２２ｃ側に送られる。その後、三方弁２６ｂによって冷却液配管２２ｄに送られて冷却器１４ｂに入り、冷却液が設定温度まで冷却され冷却液配管２２ａを再度流通する。通常分析時においては、上述した流通経路によって冷却液が試薬庫１４内の冷却を行う。
【００３３】
ここで、制御部３１がランプ交換の指示を受けた場合、制御部３１は装置制御部３３に三方弁２６ａ、２６ｂの切り替えを指示し、冷却液の流通経路を変更する。切り替え後の流通経路は、２２ａから試薬庫１４内を通過し冷却液配管２２ｂを通り、三方弁２６ａで冷却液バイパス配管２２ｅ側に流路を切り替えられてランプハウス１９４の内側ボックス１９４ｂ外周を流通する経路となる。内側ボックス１９４ｂを通過した冷却液は三方弁２６ｂによって冷却液配管２２ｄに送られ、冷却器１４ｂに入り設定の温度に冷却された後、冷却液配管２２ａを再度流通する。
【００３４】
ここで、サーミスタ１９４ｈで測定された内側ボックス１９４ｂ内の温度が光源ランプ１９４ｃの交換が可能な温度になった場合、温度制御部３２は制御部３１にランプ交換可能温度到達の旨を出力し、制御部３１は出力部３８にランプ交換可能の表示をするよう報知する。
【００３５】
ランプハウス１９４は、図３−１に示す模式的な断面図で示すような構造をとる。すなわち、ランプハウス１９４は、断熱材で覆われ熱を発散しにくくしている外側ボックス１９４ａと、外側ボックス１９４ａの内側に光源ランプ１９４ｃを覆う面が反射鏡で形成され、光エネルギーが熱エネルギーに変化するのを抑えている内側ボックス１９４ｂとの二重構造からなり、光源ランプ雰囲気の熱を保っている。光源ランプ１９４ｃから出射された光はレンズ１９４ｄに集められ、外部へと放出される。また、サーミスタ１９４ｈが測定した温度情報をもとに温度制御部３２が温度制御を行い、制御部３１は、温度制御部３２の情報をもとにファン制御部３４に指示を出しファン１９３の出力の強弱を調節することで光源ランプ雰囲気を一定に制御し、出射される光量を一定に保っている。
【００３６】
また、図３−２はランプハウス１９４の光出射の後方からみた斜視図である。外側ボックス１９４ａの中に内側ボックス１９４ｂが収容され、光源ランプ１９４ｃのリード線１９４ｆが外部に接続される。
【００３７】
ここで、冷却液バイパス配管２２ｅは、図３−３に示すように、ランプハウス１９４の内側ボックス１９４ｂの外周に設置される。冷却液バイパス配管２２ｅは、コイル状に内側ボックス１９４ｂ外周を回るように設置される。なお、冷却の時間を短縮するためには、接地面積を大きくするほど、一層効率の良い冷却が可能となる。
【００３８】
次に、図４に示したフローチャートを参照して、ランプ交換処理手順について説明する。まず、制御部３１は、ランプ交換指示があったか否かを判断する（ステップＳ１０２）。制御部３１にランプ交換指示があった場合（ステップＳ１０２：Ｙｅｓ）、制御部３１はランプの電源を切り（ステップＳ１０４）、装置制御部３３に三方弁２６の切り替えを指示する（ステップＳ１０６）。三方弁２６を切り替え、冷却液がランプハウス１９４側を通過するようになり、ランプハウス１９４内が冷却されて設定温度以下になった場合（ステップＳ１０８：Ｙｅｓ）、制御部３１は出力部３８に交換可能の旨を表示するよう報知する（ステップＳ１１０）。
【００３９】
ステップＳ１０８において、設定温度より高温であった場合（ステップＳ１０８：Ｎｏ）、温度の確認を繰り返して設定温度以下になるまでステップＳ１０８を繰り返す。
【００４０】
光源ランプ１９４ｃの交換が終了し、制御部３１に終了指示が出た場合（ステップＳ１１２：Ｙｅｓ）、制御部３１は装置制御部３３に三方弁２６の切り替え指示を出す（ステップＳ１１４）。三方弁２６切り替え処理後、制御部３１は、出力部３８にランプ電源オン可能の旨を報知し、表示させる（ステップＳ１１６）。この上述した一連の流れで光源ランプ１９４ｃの交換を実施する。
【００４１】
ここで、従来の分析装置においては、光源ランプ１９４ｃを交換する場合、光源ランプ１９４ｃおよびファン１９３の電源を切断し放冷することによってランプハウス１９４内を冷却する方法、若しくはファン１９３の電源は切断せずにファン１９３の送風によってランプハウス１９４内を冷却する方法を用いている。この場合、ランプハウス１９４周辺を冷却する媒体は空気であり、空気の熱伝導率は低いため、ランプハウス１９４周辺を冷却するには効率が良くない。また、ファン１９３の出力を上げても熱伝導の媒体が空気であると大きな冷却効果が期待できないうえ、電力コストも上昇してしまう。さらに、ランプハウス１９４に恒温槽を設置してランプ点灯中の恒温化を行う方法も提案されているが、ランプ交換までは実施されていない。
【００４２】
これに対して、実施の形態１にかかる分析装置１においては、ランプハウス１９４内の内側ボックス１９４ｂに直接配管を配置し、空気に比して熱伝導率の高い水によって冷却し、しかも常に循環させているため、冷却効率が高く、短時間でランプ交換を行うことができる。
【００４３】
（実施の形態２）
つぎに、実施の形態２について説明する。上述した実施の形態１では、光源ランプ１９４ｃが点灯している場合、ファン１９３を用いてランプハウス内の冷却を行っていたが、本実施の形態２では、ランプハウス１９４内の冷却を、反応槽１３を保温している恒温液が行うようにしている。
【００４４】
図５は、この発明の実施の形態２である自動分析装置のランプハウスを中心とした温度制御系を示す模式的なブロック図である。図５に示すように、反応槽１３には恒温液配管２３が延長して設置されており、通常の分析時、温度調節器１３ｂで設定温度に調節された恒温液は恒温液配管２３ａを通り反応槽を循環した後、恒温液配管２３ｂを通過して内側ボックス１９４ｂを経由し、その後恒温液配管２３ｃを通過して温度調節器１３ｂへ戻る。恒温液は図示しないポンプによって図中の矢印方向に流れており、内側ボックス１９４ｂによって熱を吸収した恒温液は温度調節器１３ｂに送られ、設定温度に調節された恒温液が反応槽内を再び循環する。また、試薬庫１４は実施の形態１と同様にランプ交換処理時以外はランプハウス１９４内を循環せずに冷却液は冷却液配管２２ｃを通り試薬庫１４の保冷を行う。
【００４５】
ここで、恒温液配管２３には反応槽１３とランプハウス１９４との間に三方弁２６ｃ、ランプハウス１９４と温度調節器１３ｂとの間に三方弁２６ｄが設置され、三方弁２６ｃと三方弁２６ｄとが恒温液バイパス配管２３ｄで接続されている。温度制御部３２は、内側ボックス１９４ｂ内の温度情報をサーミスタ１９４ｈから取得し、制御部３１に出力する。制御部３１は、この温度情報が内側ボックス１９４ｂ内の設定温度よりも低い場合、装置制御部３３に三方弁２６ｃ、２６ｄの切替処理を指示する。切替処理後、恒温液は恒温液バイパス配管２３ｄを流れてランプハウス１９４を経由しない循環となり、内側ボックス１９４ｂ内は冷却されなくなる。この切替処理を繰り返し行うことによって内側ボックス１９４ｂ内の温度を調節する。また、図６に示すように、ランプハウス１９４の内側ボックス１９４ｂの外周に配置することで効率的に冷却することが出来る。
【００４６】
ランプ交換の指示があった場合、実施の形態１と同様、図４のフローチャートの処理が行われ、ステップＳ１０６、Ｓ１１４において装置制御部３３は三方弁２６ａ、２６ｂと同時に反応槽１３側の三方弁２６ｃ、２６ｄの切替を行う。ここで、ステップＳ１０６で内側ボックス１９４ｂ内の温度調節のために恒温液が恒温液配管２３ｂを循環していない場合、三方弁２６ｃ、２６ｄの切替は行わない。また、反応槽１３の恒温液の流路をランプハウス１９４経由にし、恒温液および冷却液の両方を用いてランプハウス１９４の冷却を行っても良い。
【００４７】
（実施の形態３）
つぎに、この発明の実施の形態３について説明する。上述した実施の形態２では、冷却液配管２２、恒温液配管２３が独立して設けられていたが、この実施の形態３では冷却液配管２２と恒温液配管２３とがひとつの水路として繋がった構成としている。
【００４８】
図７は、この発明の実施の形態３である自動分析装置のランプハウスを中心とした温度制御系を示す模式的なブロック図である。図７に示すように、図５中におけるランプハウス１９４を経由する恒温液配管２３ｂ上の三方弁２６ｃとランプハウス１９４との間に三方弁２６ｅ、ランプハウス１９４と三方弁２６ｄとの間に三方弁２６ｆが設置され、三方弁２６ｅと三方弁２６ｆとの間にランプハウス１９４を経由する共通バイパス配管２４が接続されている。また、試薬庫１４側では冷却液バイパス配管２２ｅが三方弁２６ｅと接続され、三方弁２６ｂと三方弁２６ｆを接続する冷却液バイパス配管２２ｆが設置されている。
【００４９】
通常の分析において、冷却液は冷却液配管２２ｃを流通して試薬庫１４の保冷のみを行っている。また、恒温液は共通バイパス配管２４を流通して内側ボックス１９４ｂの温度を一定に保っており、内側ボックス１９４ｂ内の温度が設定温度よりも下がった場合は、制御部３１の指示によって装置制御部３３が三方弁２６ｃ、２６ｄを切り替えて恒温液バイパス配管２３ｄに恒温液を流し、ランプハウス１９４内に恒温液が流れないように制御する。実施の形態２と同様、装置制御部３３が三方弁２６ｃ、２６ｄの切替を適宜行うことで内側ボックス１９４ｂ内の温度を一定に調節する。
【００５０】
制御部３１がランプ交換の指示を受けた場合、交換処理は図４のフローチャートと同様の処理を行う。弁切替処理（ステップＳ１０６）において、制御部３１は装置制御部３３に先ず三方弁２６ｃ、２６ｄの切り替えを指示し、恒温液がランプハウス１９４内に流れないように制御する。このとき、温度制御によって恒温液が恒温液バイパス配管２３ｄを流通している場合は、三方弁２６ｃ、２６ｄの切り替えは行わない。その後、装置制御部３３は三方弁２６ｅおよび２６ｆ、三方弁２６ａおよび２６ｂを切り替えて冷却液をランプハウス１９４内に流通させ、ランプハウス１９４内の冷却を行う。
【００５１】
温度制御部３２から内側ボックス１９４ｂ内の温度が設定温度以下になったことを受けた制御部３１は、出力部３８に交換可能を表示する旨を報知する。その後、制御部３１に交換終了指示が出ると、装置制御部３３は弁切替処理（ステップＳ１１４）を行う。
【００５２】
装置制御部３３は先ず、三方弁２６ａ、２６ｂを切り替えて冷却液が冷却液配管２２ｃを流通する経路に制御し、その後三方弁２６ｅ、２６ｆおよび２６ｃ、２６ｄを切り替えて恒温液が内側ボックス１９４ｂ内を流通するように制御する。三方弁切替処理終了後、制御部３１は、出力部３８にランプ電源オン可能の旨を表示させる。
【００５３】
ここで、内側ボックス１９４ｂと共通バイパス配管２４の配置例は、図３−３と同様、コイル状に配置することで内側ボックス１９４ｂとの接地面積が大きくなるため効率的な冷却が可能となる。
【００５４】
なお、実施の形態１〜３の自動分析装置は、試薬庫１４が１つの場合について説明したが、本発明の自動分析装置は、試薬庫が複数設けられ、２以上の試薬を使用するものであってもよい。また、本発明の自動分析装置は、図１に示す構造を１ユニットとして２以上のユニットを有する構造であってもよい。また、内部に収容された収納物などの保冷のために冷却液を循環させた場合を例に説明したが、もちろん保冷する場合に限らず、内部に収納された収納物を所定温度に保持する場合にも適用できる。
【図面の簡単な説明】
【００５５】
【図１】この発明の実施の形態１にかかる分析装置の要部構成を示す模式図である。
【図２】この発明の実施の形態１にかかる自動分析装置のランプハウスを中心とした温度制御系を模式的に示したブロック図である。
【図３−１】ランプハウスの断面を模式的に示した断面図である。
【図３−２】ランプハウスの光出射の後方からみた斜視図である。
【図３−３】ランプハウス、試薬庫および冷却液配管の設置関係を示す模式図である。
【図４】この発明の実施の形態１にかかる自動分析装置のランプ交換処理手順を示すフローチャートである。
【図５】この発明の実施の形態２にかかる自動分析装置のランプハウスを中心とした温度制御系を模式的に示したブロック図である。
【図６】この発明の実施の形態２にかかる自動分析装置のランプハウスを中心とした温度制御系を模式的に示したブロック図である。
【図７】この発明の実施の形態３にかかる自動分析装置のランプハウスを中心とした温度制御系を模式的に示したブロック図である。
【符号の説明】
【００５６】
１  分析装置
２  測定機構
３  制御機構
１１  検体移送部
１１ａ  検体容器
１１ｂ  検体ラック
１２  検体分注機構
１２ａ，１７ａ  アーム
１３  反応槽
１４  試薬庫
１５  試薬容器
１６  読取部
１７  試薬分注機構
１８  攪拌部
１９  測光部
１９１  発光部
１９２  受光部
１９３  ファン
１９４  ランプハウス
１９４ａ  外側ボックス
１９４ｂ  内側ボックス
１９４ｃ  光源ランプ
１９４ｄ  レンズ
１９４ｈ  サーミスタ
２０  洗浄部
２１  反応容器
２２  冷却液配管
２２ｅ，２２ｆ  冷却液バイパス配管
２３  恒温液配管
２３ｄ  恒温液バイパス配管
２４  共通バイパス配管
２６  三方弁
３１  制御部
３２  温度制御部
３３  装置制御部
３４  ファン制御部
３５  入力部
３６  分析部
３７  記憶部
３８  出力部
【図１】
2009264908.tif 000003
【図２】
2009264908.tif 000004
【図３−１】
2009264908.tif 000005
【図３−２】
2009264908.tif 000006
【図３−３】
2009264908.tif 000007
【図４】
2009264908.tif 000008
【図５】
2009264908.tif 000009
【図６】
2009264908.tif 000010
【図７】
2009264908.tif 000011